【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
引張部材と結合され、前記引張部材に張力をかけるように動作可能であるリール式張力装置用のインサート成形コンポーネントであって、
前記リール式張力装置のベース部材であって、ポリマー材料で作られており、上端部と底面を備えた下端部とを有し、前記リール式張力装置の１つ以上のコンポーネントがその中に配置可能である内部空洞を有する、ベース部材と、
前記ベース部材の前記底面と実質的に同一平面上にあり、かつ前記ベース部材の前記下端部の外周の少なくとも一部から横方向に延びる布地材料であって、前記インサート成形コンポーネントが形成されるとき、前記布地材料は前記ベース部材の少なくとも一部内に配置され、前記ベース部材の前記少なくとも一部の前記ポリマー材料が前記布地材料の両側に配置されるように、前記布地材料を介して前記ポリマー材料を注入することにより、前記ベース部材が前記布地材料上にインサート成形される、布地材料と
を備える、インサート成形コンポーネント。
【請求項２】
前記ベース部材の前記内部空洞が、前記リール式張力装置のハウジングコンポーネントを受け入れるように構成されている、請求項１に記載のインサート成形コンポーネント。
【請求項３】
前記ベース部材は、前記リール式張力装置のハウジングコンポーネントであり、前記引張部材が前記ハウジングコンポーネントの内側部分から前記ハウジングコンポーネントの外側部分へ通過するように、前記ハウジングコンポーネントは入口および出口ポートを含み、前記引張部材はこれらを通って配置される、請求項１に記載のインサート成形コンポーネント。
【請求項４】
前記ベース部材は、前記布地材料上にインサート成形されるので、前記ベース部材の前記下端部全体の前記ポリマー材料が前記布地材料の両側に配置されるように、前記布地材料が前記ベース部材の前記下端部全体内に配置される、請求項１に記載のインサート成形コンポーネント。
【請求項５】
前記ベース部材の前記下端部の前記ポリマー材料は、前記布地材料の底面上に環状リングを形成する、請求項４に記載のインサート成形コンポーネント。
【請求項６】
前記ベース部材が少なくとも１つのより薄いポリマー材料セクションを含み、前記布地材料が前記ベース部材の前記より薄いポリマー材料セクションの上面に見える、請求項１に記載のインサート成形コンポーネント。
【請求項７】
前記ベース部材は、ガラス充填ポリプロピレン材料、コポリエステル材料、またはそれらの組合せで作られている、請求項１に記載のインサート成形コンポーネント。
【請求項８】
前記布地材料は靴に取り付け可能である、請求項１に記載のインサート成形コンポーネント。
【請求項９】
リール式張力システムのコンポーネントであって、
前記リール式張力システムの第１のコンポーネントであって、ポリマー材料で作られ、上端部、下端部、および前記リール式張力システムの第２のコンポーネントが配置可能な内部空洞を有する、第１のコンポーネントと、
前記第１のコンポーネントの前記下端部近くに配置され、かつ前記第１のコンポーネントの外周の少なくとも一部から横方向に延びる布地材料であって、前記第１のコンポーネントの少なくとも一部の前記ポリマー材料を前記布地材料を介して飽和または含浸させるように、および前記第１のコンポーネントの前記少なくとも一部の前記ポリマー材料が前記布地材料の底面の軸方向下方および前記布地材料の上面の軸方向上方に延びるように、前記第１のコンポーネントの前記ポリマー材料を前記布地材料を介して注入することにより前記第１のコンポーネントと一体的に結合される、布地材料と
を備えた、リール式張力システムのコンポーネント。
【請求項１０】
前記第１のコンポーネントはベース部材であり、前記ベース部材の前記内部空洞は、リール式張力装置のハウジングコンポーネントを受け入れるように構成される、請求項９に記載のコンポーネント。
【請求項１１】
前記第１のコンポーネントはガイド部材であり、前記内部空洞は、物品の経路の周りに前記引張部材をガイドするために、前記リール式張力システムの引張部材を受け入れるように構成される、請求項９に記載のコンポーネント。
【請求項１２】
前記第１のコンポーネントの前記下端部全体の前記ポリマー材料は、前記布地材料を介して飽和または含浸しているので、前記下端部全体の前記ポリマー材料は、前記布地材料の前記底面の軸方向下方および前記布地材料の前記上面の軸方向上方に延びる、請求項９に記載のコンポーネント。
【請求項１３】
前記第１のコンポーネントの前記下端部の前記ポリマー材料が、前記布地材料の前記底面上に環状リングを形成する、請求項１２に記載のコンポーネント。
【請求項１４】
前記布地材料は、前記布地材料の本体から横方向外側に延びる複数のタブを備え、前記タブの少なくとも１つは開口部を含む、請求項９に記載のコンポーネント。
【請求項１５】
前記布地材料は、前記第１のコンポーネントのかなり薄いセクションまたはセグメントの上面から見える、請求項９に記載のコンポーネント。
【請求項１６】
リール式張力システムのコンポーネントを形成する方法であって、
布地材料を提供するステップと、
ダイまたは金型内に前記布地材料を配置するステップと、
前記リール式張力システムの第１のコンポーネントの形状を画定する前記ダイまたは金型内の空隙または空間を埋めるように、前記布地材料を介してポリマー材料を注入するステップと、
前記ポリマー材料が硬化し、前記リール式張力システムの前記第１のコンポーネントを形成するように、前記ポリマー材料を冷却するステップと
を含み、
前記第１のコンポーネントの少なくとも一部の前記ポリマー材料は前記布地材料の底面の軸方向下方および前記布地材料の上面の軸方向上方に延びるように、前記第１のコンポーネントの前記少なくとも一部の前記ポリマー材料を前記布地材料を介して飽和または含浸させる、方法。
【請求項１７】
前記布地材料は前記ダイまたは前記金型の下端部内に配置され、前記ポリマー材料は前記ダイまたは前記金型の下端部から前記ダイまたは前記金型の上端部に向かって前記布地材料を介して注入される、請求項１６に記載の方法。
【請求項１８】
前記ポリマー材料は、前記布地材料を通して注入され、冷却されるので、底端部全体の前記ポリマー材料が前記布地材料の前記底面の軸方向下方に延び、前記布地材料の前記上面の軸方向上方に延びるように、前記第１のコンポーネントの前記底端部全体の前記ポリマー材料を前記布地材料を通して飽和または含浸させる、請求項１６に記載の方法。
【請求項１９】
前記ポリマー材料は、前記ポリマー材料が前記布地材料の前記底面の上部に環状リングを形成するように、前記布地材料を介して注入され、冷却される、請求項１８に記載の方法。
【請求項２０】
前記ポリマー材料は、ガラス充填ポリプロピレン材料、コポリエステル材料、またはそれらの組合せからなる、請求項１６に記載の方法。
【請求項２１】
前記ポリマー材料は、前記布地材料を介して注入され、冷却されて、前記ポリマー材料が前記第１のコンポーネントのかなり薄いセクションまたはセグメントの上面から見えるようになる、請求項１６に記載の方法。
【手続補正２】
【補正対象書類名】明細書
【補正対象項目名】００９０
【補正方法】変更
【補正の内容】
【００９０】
[0106]また、本明細書および添付の特許請求の範囲で使用される「ｃｏｍｐｒｉｓｅ」、「ｃｏｍｐｒｉｓｉｎｇ」、「ｉｎｃｌｕｄｅ」、「ｉｎｃｌｕｄｉｎｇ」、および「ｉｎｃｌｕｄｅｓ」という言葉は、述べられた特徴、整数、コンポーネント、またはステップの存在を指定することを意図しているが、１つ以上の他の機能、整数、コンポーネント、ステップ、行為、またはグループの存在または追加を排除しない。
（項目１）
引張部材と結合され、前記引張部材に張力をかけるように動作可能であるリール式張力装置用のインサート成形コンポーネントであって、
前記リール式張力装置のベース部材であって、ポリマー材料で作られており、上端部と底面を備えた下端部とを有し、前記リール式張力装置の１つ以上のコンポーネントがその中に配置可能である内部空洞を有する、ベース部材と、
前記ベース部材の前記底面と実質的に同一平面上にあり、かつ前記ベース部材の前記下端部の外周の少なくとも一部から横方向に延びる布地材料であって、前記インサート成形コンポーネントが形成されるとき、前記布地材料は前記ベース部材の少なくとも一部内に配置され、前記ベース部材の前記少なくとも一部の前記ポリマー材料が前記布地材料の両側に配置されるように、前記布地材料を介して前記ポリマー材料を注入することにより、前記ベース部材が前記布地材料上にインサート成形される、布地材料と
を備える、インサート成形コンポーネント。
（項目２）
前記ベース部材の前記内部空洞が、前記リール式張力装置のハウジングコンポーネントを受け入れるように構成されている、項目１に記載のインサート成形コンポーネント。
（項目３）
前記ベース部材は、前記リール式張力装置のハウジングコンポーネントであり、前記引張部材が前記ハウジングコンポーネントの内側部分から前記ハウジングコンポーネントの外側部分へ通過するように、前記ハウジングコンポーネントは入口および出口ポートを含み、前記引張部材はこれらを通って配置される、項目１に記載のインサート成形コンポーネント。
（項目４）
前記ベース部材は、前記布地材料上にインサート成形されるので、前記ベース部材の前記下端部全体の前記ポリマー材料が前記布地材料の両側に配置されるように、前記布地材料が前記ベース部材の前記下端部全体内に配置される、項目１に記載のインサート成形コンポーネント。
（項目５）
前記ベース部材の前記下端部の前記ポリマー材料は、前記布地材料の底面上に環状リングを形成する、項目４に記載のインサート成形コンポーネント。
（項目６）
前記ベース部材が少なくとも１つのより薄いポリマー材料セクションを含み、前記布地材料が前記ベース部材の前記より薄いポリマー材料セクションの上面に見える、項目１に記載のインサート成形コンポーネント。
（項目７）
前記ベース部材は、ガラス充填ポリプロピレン材料、コポリエステル材料、またはそれらの組合せで作られている、項目１に記載のインサート成形コンポーネント。
（項目８）
前記布地材料は靴に取り付け可能である、項目１に記載のインサート成形コンポーネント。
（項目９）
リール式張力システムのコンポーネントであって、
前記リール式張力システムの第１のコンポーネントであって、ポリマー材料で作られ、上端部、下端部、および前記リール式張力システムの第２のコンポーネントが配置可能な内部空洞を有する、第１のコンポーネントと、
前記第１のコンポーネントの前記下端部近くに配置され、かつ前記第１のコンポーネントの外周の少なくとも一部から横方向に延びる布地材料であって、前記第１のコンポーネントの少なくとも一部の前記ポリマー材料を前記布地材料を介して飽和または含浸させるように、および前記第１のコンポーネントの前記少なくとも一部の前記ポリマー材料が前
記布地材料の底面の軸方向下方および前記布地材料の上面の軸方向上方に延びるように、前記第１のコンポーネントの前記ポリマー材料を前記布地材料を介して注入することにより前記第１のコンポーネントと一体的に結合される、布地材料と
を備えた、リール式張力システムのコンポーネント。
（項目１０）
前記第１のコンポーネントはベース部材であり、前記ベース部材の前記内部空洞は、リール式張力装置のハウジングコンポーネントを受け入れるように構成される、項目９に記載のコンポーネント。
（項目１１）
前記第１のコンポーネントはガイド部材であり、前記内部空洞は、物品の経路の周りに前記引張部材をガイドするために、前記リール式張力システムの引張部材を受け入れるように構成される、項目９に記載のコンポーネント。
（項目１２）
前記第１のコンポーネントの前記下端部全体の前記ポリマー材料は、前記布地材料を介して飽和または含浸しているので、前記下端部全体の前記ポリマー材料は、前記布地材料の前記底面の軸方向下方および前記布地材料の前記上面の軸方向上方に延びる、項目９に記載のコンポーネント。
（項目１３）
前記第１のコンポーネントの前記下端部の前記ポリマー材料が、前記布地材料の前記底面上に環状リングを形成する、項目１２に記載のコンポーネント。
（項目１４）
前記布地材料は、前記布地材料の本体から横方向外側に延びる複数のタブを備え、前記タブの少なくとも１つは開口部を含む、項目９に記載のコンポーネント。
（項目１５）
前記布地材料は、前記第１のコンポーネントのかなり薄いセクションまたはセグメントの上面から見える、項目９に記載のコンポーネント。
（項目１６）
リール式張力システムのコンポーネントを形成する方法であって、
布地材料を提供するステップと、
ダイまたは金型内に前記布地材料を配置するステップと、
前記リール式張力システムの第１のコンポーネントの形状を画定する前記ダイまたは金型内の空隙または空間を埋めるように、前記布地材料を介してポリマー材料を注入するステップと、
前記ポリマー材料が硬化し、前記リール式張力システムの前記第１のコンポーネントを形成するように、前記ポリマー材料を冷却するステップと
を含み、
前記第１のコンポーネントの少なくとも一部の前記ポリマー材料は前記布地材料の底面の軸方向下方および前記布地材料の上面の軸方向上方に延びるように、前記第１のコンポーネントの前記少なくとも一部の前記ポリマー材料を前記布地材料を介して飽和または含浸させる、方法。
（項目１７）
前記布地材料は前記ダイまたは前記金型の下端部内に配置され、前記ポリマー材料は前記ダイまたは前記金型の下端部から前記ダイまたは前記金型の上端部に向かって前記布地材料を介して注入される、項目１６に記載の方法。
（項目１８）
前記ポリマー材料は、前記布地材料を通して注入され、冷却されるので、底端部全体の前記ポリマー材料が前記布地材料の前記底面の軸方向下方に延び、前記布地材料の前記上面の軸方向上方に延びるように、前記第１のコンポーネントの前記底端部全体の前記ポリマー材料を前記布地材料を通して飽和または含浸させる、項目１６に記載の方法。
（項目１９）
前記ポリマー材料は、前記ポリマー材料が前記布地材料の前記底面の上部に環状リングを形成するように、前記布地材料を介して注入され、冷却される、項目１８に記載の方法。
（項目２０）
前記ポリマー材料は、ガラス充填ポリプロピレン材料、コポリエステル材料、またはそれらの組合せからなる、項目１６に記載の方法。
（項目２１）
前記ポリマー材料は、前記布地材料を介して注入され、冷却されて、前記ポリマー材料が前記第１のコンポーネントのかなり薄いセクションまたはセグメントの上面から見えるようになる、項目１６に記載の方法。
（項目２２）
リール式張力装置であって、
内部領域を有するハウジングと、
前記ハウジングの前記内部領域内に配置され、それに対して回転可能なスプールと、
前記スプールに動作可能に結合され、前記スプールを前記ハウジングの前記内部領域内で第１の方向に回転させて、引張部材を前記スプールの周りに巻き付け、それにより前記引張部材に張力をかけるノブ部材と、
前記スプールに結合され、前記ハウジングの前記内部領域内で前記スプールの前記第１の方向への回転を可能とし、前記ハウジングの前記内部領域内で前記スプールの第２の方向への回転を防止し、前記スプールの周りから前記引張部材が巻き戻されるのを防止するように構成された荷重保持機構と、
前記荷重保持機構とは別個であり、前記ノブ部材の動作に応答して可聴ノイズを生成し、前記引張部材の張力の調整を可聴的に知らせるように構成された可聴コンポーネントと
を備える、リール式張力装置。
（項目２３）
前記荷重保持機構は、人間が検出可能な可聴ノイズを発生させない、項目２２に記載のリール式張力装置。
（項目２４）
前記可聴コンポーネントは、前記引張部材の張力に応答する可聴ノイズを生成し、前記引張部材の緩みに応答する可聴ノイズを生成するように構成される、項目２２に記載のリール式張力装置。
（項目２５）
前記引張部材の張力に応答する前記可聴ノイズは、前記引張部材の緩みに応答する前記可聴ノイズとは異なる、項目２４に記載のリール式張力装置。
（項目２６）
前記可聴コンポーネントは、前記ハウジングの歯と係合して可聴ノイズを生成するつめ部材またはビームを含む、項目２２に記載のリール式張力装置。
（項目２７）
前記つめ部材またはビームは、前記引張部材またはノブ部材を介してかなりの回転力が前記スプールに加えられたときに、前記ハウジングの前記内部領域内での前記スプールの回転を防止できない、項目２６に記載のリール式張力装置。
（項目２８）
前記可聴コンポーネントは、前記スプールの上面に結合される、項目２２に記載のリール式張力装置。
（項目２９）
前記荷重保持機構は、つめ部材またはビームを含まない、項目２２に記載のリール式張力装置。
（項目３０）
リール式張力装置であって、
ハウジングと、
前記ハウジング内に回転可能に配置されたスプールと、
前記スプールに動作可能に結合され、前記スプールを前記ハウジング内で第１の方向に回転させて引張部材を前記スプールの周りに巻き付けるノブ部材と、
前記スプールに結合され、前記ハウジング内で前記スプールの前記第１の方向への回転を可能とし、前記ハウジング内で前記スプールの第２の方向への回転を防止し、前記スプールの周りから前記引張部材が巻き戻されるのを防止するように構成された荷重保持機構と、
前記ノブ部材の動作に応答して可聴ノイズを生成して前記引張部材の調整を知らせるように構成された可聴コンポーネントと
を備える、リール式張力装置。
（項目３１）
前記荷重保持機構は、人間の耳によって検出可能な可聴ノイズを生成しない、項目３０に記載のリール式張力装置。
（項目３２）
前記可聴コンポーネントは、前記引張部材の張力に応答する可聴ノイズを生成し、前記引張部材の緩みに応答する可聴ノイズを生成するように構成される、項目３０に記載のリール式張力装置。
（項目３３）
前記引張部材の張力に応答する前記可聴ノイズは、前記引張部材の緩みに応答する前記可聴ノイズとは異なる、項目３２に記載のリール式張力装置。
（項目３４）
前記可聴コンポーネントは、つめ部材またはビームを含む、項目３０に記載のリール式張力装置。
（項目３５）
前記つめ部材またはビームは、前記引張部材またはノブ部材を介してかなりの回転力が前記スプールに加えられたときに、前記ハウジング内の前記スプールの回転を防止できない、項目３４に記載のリール式張力装置。
（項目３６）
前記可聴コンポーネントは、前記スプールの上面に結合される、項目３０に記載のリール式張力装置。
（項目３７）
前記荷重保持機構は、つめ部材またはビームを含まない、項目３０に記載のリール式張力装置。
（項目３８）
リール式張力装置を構成する方法であって、
ハウジングと、
前記ハウジング内に回転可能に配置されたスプールと、
前記スプールに動作可能に結合され、前記スプールを前記ハウジング内で第１の方向に回転させて引張部材を前記スプールの周りに巻き付けるノブ部材と、
前記スプールに結合され、前記ハウジング内で前記スプールの前記第１の方向への回転を可能とし、前記ハウジング内で前記スプールの第２の方向への回転を防止し、前記スプールの周りから前記引張部材が巻き戻されるのを防止するように構成された荷重保持機構と
を含む前記リール式張力装置を提供するステップと、
可聴コンポーネントを前記リール式張力装置に結合するステップと
を含み、
前記可聴コンポーネントは、前記ノブ部材の動作に応答して可聴ノイズを生成し、前記引張部材の調整を知らせるように構成される、方法。
（項目３９）
前記荷重保持機構は、人間の耳によって検出可能な可聴ノイズを生成しない、項目３
８に記載の方法。
（項目４０）
前記可聴コンポーネントは、前記引張部材の張力に応答して可聴ノイズを生成し、前記引張部材の緩みに応答して可聴ノイズを生成するように構成される、項目３８に記載の方法。
（項目４１）
前記引張部材の張力に応答する前記可聴ノイズは、前記引張部材の緩みに応答する前記可聴ノイズとは異なる、項目４０に記載の方法。
（項目４２）
前記可聴コンポーネントは、前記ハウジングと係合して可聴ノイズを生成するつめ部材またはビームを含む、項目３８に記載の方法。
（項目４３）
前記つめ部材またはビームは、前記引張部材またはノブ部材を介してかなりの回転力が前記スプールに加えられたときに、前記ハウジング内の前記スプールの回転を防ぐことができない、項目４２に記載の方法。
（項目４４）
前記可聴コンポーネントによって生成される前記可聴ノイズを調整する、前記可聴コンポーネントを調整するステップを更に含む、項目３８に記載の方法。
（項目４５）
前記荷重保持機構は、つめ部材またはビームを含まない、項目３８に記載の方法。
（項目４６）
物品を締め付けるためのリール式張力装置であって、
内部領域を有するハウジングと、
前記ハウジングの前記内部領域内に配置され、それに対して回転可能なスプールと、
前記スプールを前記ハウジングの前記内部領域内で回転させるために、前記スプールと動作可能に結合されたノブ部材と、
前記スプールに結合された荷重保持機構であって、前記ノブ以外の源から前記スプールに加えられた力に応答して、前記ハウジングの前記内部領域内で前記スプールの回転を防止するために、円筒形部材と摩擦係合するばねを備える荷重保持機構と
を備え、
前記ノブは前記荷重保持機構と動作可能に結合されているため、
前記ノブを第１の方向へ回転させると、前記ばねと円筒形部材の前記摩擦係合が減少し、前記ハウジングの前記内部領域内で前記スプールの前記第１の方向への回転が可能となり、それにより引張部材が前記スプールの周りに巻き付けられ、
前記ノブを第２の方向に回転させると、前記ばねと円筒形部材の摩擦係合も減少し、前記ハウジングの前記内部領域内で前記スプールの前記第２の方向への回転が可能になり、それにより前記引張部材が前記スプールの周りから巻き戻される、リール式張力装置。
（項目４７）
前記ばねは、ハブ部材の外側に巻き付けられたコイルばねであり、前記コイルばねは、前記ハブ部材の外面の周りに収縮することにより前記ハブ部材と摩擦係合する、項目４６に記載のリール式張力装置。
（項目４８）
前記ハブ部材は、前記スプールに固定された上部ハブ部材と、前記ハウジングに固定された下部ハブ部材とを備える、項目４７に記載のリール式張力装置。
（項目４９）
前記上部ハブ部材は、前記下部ハブ部材の直径よりもわずかに大きい直径を有する、項目４８に記載のリール式張力装置。
（項目５０）
前記上部ハブ部材の遠位端が前記下部ハブ部材と接合し、前記上部ハブ部材の前記遠位端が先細になっている、項目４９に記載のリール式張力装置。
（項目５１）
前記ハブ部材は内側ハブ部材であり、前記リール式張力装置は、前記内側ハブ部材上に配置され、かつ前記ノブ部材および前記ばねと動作可能に結合される外側ハブ部材を更に備えるため、前記ノブ部材が前記第２の方向に回転すると、前記ばねと前記内側ハブ部材との前記摩擦係合が減少する、項目４７に記載のリール式張力装置。
（項目５２）
前記外側ハブ部材は、前記ノブ部材が前記第２の方向に回転すると前記外側ハブが前記第２の方向へ回転するように前記ノブ部材と結合され、前記外側ハブ部材が前記第２の方向に回転すると前記ばねの直径が拡大し、それにより前記ばねと前記内側ハブ部材との前記摩擦係合が減少するように、前記ばねは前記外側ハブ部材と結合されるタングを含む、項目５１に記載のリール式張力装置。
（項目５３）
前記円筒形部材は円筒形チャネルまたは凹部を備え、前記ばねは、前記円筒形チャネルまたは凹部の内壁と摩擦係合するように半径方向外側に付勢されるコイルばねを備える、項目４６に記載のリール式張力装置。
（項目５４）
前記荷重保持機構は、人間が検出可能な可聴ノイズを発生させない、項目４６に記載のリール式張力装置。
（項目５５）
リール式張力装置であって、
ハウジングと、
前記ハウジング内に回転可能に配置されたスプールと、
前記スプールを前記ハウジング内で回転させるために、前記スプールと動作可能に結合されたノブ部材と、
前記ハウジング内の前記スプールの不要な回転を防止するために、円筒形部材と摩擦係合するばねを含む荷重保持機構と
を備え、
前記ノブ部材は、荷重保持機構と動作可能に結合されているため、
前記ノブ部材の第１の動作により、前記ばねと円筒形部材との前記摩擦係合が減少し、前記ハウジング内で前記スプールの回転が可能となり、引張部材が前記スプールの周りに巻き付けられ、
前記ノブ部材の第２の動作によりまた、前記ばねと円筒形部材の前記摩擦係合も減少し、前記ハウジング内で前記スプールの回転が可能となり、前記引張部材が前記スプールの周りから巻き戻される、リール式張力装置。
（項目５６）
前記ばねは、ハブ部材の外側に巻き付けられたコイルばねであり、前記コイルばねは、前記ハブ部材の外面の周りで収縮することにより前記ハブ部材と摩擦係合する、項目５５に記載のリール式張力装置。
（項目５７）
前記ハブ部材は、前記スプールに固定された上部ハブ部材と、前記ハウジングに固定された下部ハブ部材とを備える、項目５６に記載のリール式張力装置。
（項目５８）
前記上部ハブ部材は、前記下部ハブ部材の直径よりもわずかに大きい直径を有する、項目５７に記載のリール式張力装置。
（項目５９）
前記上部ハブ部材の遠位端が前記下部ハブ部材と接合し、前記上部ハブ部材の前記遠位端が先細になっている、項目５８に記載のリール式張力装置。
（項目６０）
前記ハブ部材は内側ハブ部材であり、前記リール式張力装置は、前記内側ハブ部材上方に配置され、前記ノブ部材および前記ばねと動作可能に結合される外側ハブ部材を更に備
え、前記ノブ部材が前記第２の方向に回転すると、前記ばねと前記内側ハブ部材との前記摩擦係合が減少する、項目５６に記載のリール式張力装置。
（項目６１）
前記外側ハブ部材は、前記ノブ部材が前記第２の方向に回転すると前記外側ハブが前記第２の方向に回転するように、前記ノブ部材と結合され、前記外側ハブ部材が前記第２の方向に回転すると前記ばねの直径が拡大し、それにより前記ばねと前記内側ハブ部材との前記摩擦係合が減少するように、前記ばねは前記外側ハブ部材と結合されるタングを含む、項目６０に記載のリール式張力装置。
（項目６２）
前記円筒形部材が円筒形チャネルまたは凹部を備え、前記ばねが、前記円筒形チャネルまたは凹部の内壁と摩擦係合するように半径方向外側に付勢されるコイルばねを備える、項目５５に記載のリール式張力装置。
（項目６３）
リール式張力装置を使用して物品を組み立てる方法であって、
ハウジングと、
前記ハウジング内に回転可能に配置されたスプールと、
前記スプールを前記ハウジング内で回転させるために、前記スプールと動作可能に結合されたノブ部材と、
前記ハウジング内の前記スプールの不要な回転を防止するために、円筒形部材と摩擦係合するばねを含む荷重保持機構と
を含む前記リール式張力装置を提供するステップであって、
前記ノブ部材は、前記荷重保持機構と動作可能に結合されているため、
前記ノブ部材の第１の動作により、前記ばねと円筒形部材との前記摩擦係合が減少し、前記ハウジング内で前記スプールの回転が可能となり、引張部材が前記スプールの周りに巻き付けられ、
前記ノブ部材の第２の動作によりまた、前記ばねと円筒形部材の前記摩擦係合も減少して、前記ハウジング内で前記スプールの回転が可能となり、前記引張部材が前記スプールの周りから巻き戻される、ステップと、
前記リール式張力装置を前記物品と結合するステップとを含む、方法。
（項目６４）
前記ばねは、円筒形ハブ部材の外側に巻き付けられたコイルばねであり、前記コイルばねは、前記ハブ部材の外面の周りで収縮することにより前記ハブ部材と摩擦係合する、項目６３に記載の方法。
（項目６５）
前記ハブ部材は、前記スプールに固定された上部ハブ部材と、前記ハウジングに固定された下部ハブ部材とを備える、項目６４に記載の方法。
（項目６６）
前記上部ハブ部材は、前記下部ハブ部材の直径よりもわずかに大きい直径を有する、項目６５に記載の方法。
（項目６７）
前記上部ハブ部材の遠位端が前記下部ハブ部材と接合し、前記上部ハブ部材の前記遠位端が先細である、項目６６に記載の方法。
（項目６８）
前記ハブ部材は内側ハブ部材であり、前記リール式張力装置は、前記内側ハブ部材上に配置され、かつ前記ノブ部材が前記第２の方向に回転すると前記ばねと前記内側ハブ部材との前記摩擦係合が減少するように、前記ノブ部材および前記ばねと動作可能に結合される外側ハブ部材を更に備える、項目６４に記載の方法。
（項目６９）
前記外側ハブ部材は、前記ノブ部材が前記第２の方向へ回転すると前記外側ハブが前記第２の方向へ回転するように、前記ノブ部材と結合され、前記ばねは、前記外側ハブ部材
が前記第２の方向へ回転すると前記ばねの直径の拡大をもたらし、それにより、前記ばねと前記内側ハブ部材との前記摩擦係合を減少させるように、前記外側ハブ部材と結合されるタングを含む、項目６８に記載の方法。
（項目７０）
前記円筒形部材が円筒形チャネルまたは凹部を備え、前記ばねが、前記円筒形チャネルまたは凹部の内壁と摩擦係合するように半径方向外側に付勢されるコイルばねを備える、項目６３に記載の方法。